(57)【要約】【課題】トラッキング現象等に起因する異常発熱や発火が給電部に発生することを防止することのできる電源プラグを提供する。【解決手段】差込端子１４，１５で受電した電源を別の電源プラグに給電する給電部１７を有する電源プラグにおいて、差込端子１４，１５のうち一方の差込端子と電気的に接続された固定接点２０を本体ケースの内部に設けるとともに、本体ケースの内部温度によりスナップ動作するスナップアクションバイメタル２２と、スナップアクションバイメタル２２のスナップ動作により固定接点２０に対して接離する可動接点２４と、固定接点２０と可動接点２４との絶縁状態を保持する絶縁駒２５と、絶縁駒２５を固定接点２０と可動接点２４との接触部に押圧する圧縮コイルばね２６とを給電部１７に設けた。【選択図】図２
2010267531.tif 000002
【特許請求の範囲】
【請求項１】
端子挿入口を有する本体ケースと、前記本体ケースから突出して電源コンセントに差し込まれる一対の差込端子と、前記本体ケースの内部で前記差込端子に接続されて前記本体ケースの外部に引き出された電源コードと、前記差込端子で受電した電源を前記端子挿入口から前記本体ケースの内部に挿入された別の電源プラグに給電する給電部と、を備えた電源プラグであって、
前記一対の差込端子のうち一方の差込端子と電気的に接続された固定接点を前記本体ケースの内部に有し、かつ前記給電部が前記本体ケースの内部温度によりスナップ動作するスナップアクション部材と、前記スナップアクション部材のスナップ動作により前記固定接点に対して接離する可動接点とを有することを特徴とする電源プラグ。
【請求項２】
請求項１記載の電源プラグであって、前記給電部が前記固定接点と前記可動接点との絶縁状態を保持する絶縁駒と、前記絶縁駒を前記固定接点と前記可動接点との接触部に押圧する弾性部材とを有し、前記可動接点が前記固定接点から離間したときに前記弾性部材の弾性力により前記絶縁駒が前記固定接点と前記可動接点との間にスライドすることを特徴とする電源プラグ。
【請求項３】
請求項２記載の電源プラグにおいて、前記絶縁駒が前記固定接点と前記可動接点との間にスライドしたときに前記本体ケースの外部に突出する突き出し部を前記絶縁駒に設けたことを特徴とする電源プラグ。
【発明の詳細な説明】
【技術分野】
【０００１】
本発明は、電源コンセントに差し込まれて使用される電源プラグに関する。
【背景技術】
【０００２】
電源コンセントに差し込まれて使用される電源プラグとして、例えば特許文献１に開示されたものは端子挿入口を有する本体ケースと、本体ケースから突出して電源コンセントに差し込まれる一対の差込端子と、本体ケースの内部で差込端子に接続されて本体ケースの外部に引き出された電源コードと、差込端子で受電した電源を端子挿入口から本体ケースの内部に挿入された別の電源プラグに給電する給電部とを備えた構成となっている。この電源プラグは給電部の短絡を本体ケース内に設けた絶縁キャップにより防止することができるが、給電部への電源供給を遮断する機能を有していないため、給電部にトラッキング現象等が生じると異常発熱や発火を起こす可能性がある。
【０００３】
電源プラグの異常発熱や発火を防止する技術としては、一方の差込端子と電気的に接続されたサーモスタットを電源プラグの本体ケース内に配置し、電源コンセントと差込端子との接触不良や接触抵抗増大による発熱が生じたときにサーモスタットを作動させて電源コンセントからの電源供給を遮断する技術が知られている（例えば、特許文献２参照）。
【先行技術文献】
【特許文献】
【０００４】
【特許文献１】特開２００７−２８０８５６号公報
【特許文献２】特開２００８−２１６２２号公報
【発明の概要】
【発明が解決しようとする課題】
【０００５】
しかしながら、特許文献２に開示された技術では、電路の遮断機能が受電側にあり、受電部と給電部との間で電路を遮断することができないため、給電部にトラッキング現象等が発生した場合には、特許文献１に開示されたものと同様に、異常発熱や発火を防止することができないという問題がある。
本発明は上述した問題点に鑑みてなされたものであり、トラッキング現象等に起因する異常発熱や発火が給電部に発生することを防止することのできる電源プラグを提供することを目的とするものである。
【課題を解決するための手段】
【０００６】
上記課題を解決するために、請求項１の発明は、端子挿入口を有する本体ケースと、前記本体ケースから突出して電源コンセントに差し込まれる一対の差込端子と、前記本体ケースの内部で前記差込端子に接続されて前記本体ケースの外部に引き出された電源コードと、前記差込端子で受電した電源を前記端子挿入口から前記本体ケースの内部に挿入された別の電源プラグに給電する給電部と、を備えた電源プラグであって、前記一対の差込端子のうち一方の差込端子と電気的に接続された固定接点を前記本体ケースの内部に有し、かつ前記給電部が前記本体ケースの内部温度によりスナップ動作するスナップアクション部材と、前記スナップアクション部材のスナップ動作により前記固定接点に対して接離する可動接点とを有することを特徴とするものである。
【０００７】
請求項２の発明は、請求項１記載の電源プラグであって、前記給電部が前記固定接点と前記可動接点との絶縁状態を保持する絶縁駒と、前記絶縁駒を前記固定接点と前記可動接点との接触部に押圧する弾性部材とを有し、前記可動接点が前記固定接点から離間したときに前記弾性部材の弾性力により前記絶縁駒が前記固定接点と前記可動接点との間にスライドすることを特徴とするものである。
【０００８】
請求項３の発明は、請求項２記載の電源プラグにおいて、前記絶縁駒が前記固定接点と前記可動接点との間にスライドしたときに前記本体ケースの外部に突出する突き出し部を前記絶縁駒に設けたことを特徴とするものである。
【発明の効果】
【０００９】
請求項１の発明によれば、給電部に発生したトラッキング現象等により本体ケースの内部温度が異常上昇すると、スナップアクション部材がスナップ動作し、可動接点が固定接点から離間する。これにより、給電部への電源供給が遮断されるため、トラッキング現象等に起因する異常発熱や発火が給電部に発生することを防止することができる。
請求項２の発明によれば、スナップアクション部材のスナップ動作により可動接点が固定接点から離間すると、弾性部材の弾性力により絶縁駒が固定接点と可動接点との間にスライドし、これにより、固定接点と可動接点との離間状態が絶縁駒によって保持されるため、トラッキング現象等に起因する異常発熱や発火が給電部に発生することを確実に防止することができる。
【００１０】
請求項３の発明によれば、本体ケースの外部に突出した突き出し部を弾性部材の弾性力に抗して本体ケースの内部に押し戻すと、絶縁駒によって保持されていた固定接点と可動接点との離間状態が解除されるため、受電した電源を給電部に再び供給することができる。
【図面の簡単な説明】
【００１１】
【図１】本発明の一実施形態に係る電源プラグの外観を示す図である。
【図２】本発明の一実施形態に係る電源プラグにおける本体ケースの内部構造を示す図で、（ａ）は斜視図、（ｂ）は（ａ）を矢印Ａ方向から視た平面図である。
【図３】本発明の一実施形態に係る電源プラグの給電部の一部を示す図で、（ａ）は斜視図、（ｂ）は（ａ）を矢印Ｂ方向から視た平面図である。
【図４】本発明の一実施形態に係る電源プラグの作用を説明するための図で、（ａ）は斜視図、（ｂ）は（ａ）を矢印Ｃ方向から視た平面図である。
【発明を実施するための形態】
【００１２】
以下、図面を参照して本発明の実施の形態について説明する。
本発明の一実施形態に係る電源プラグの外観を図１に示す。本発明の一実施形態に係る電源プラグ１０は、図１に示されるように、本体ケース１１、差込端子１４，１５及び電源コード１６を備えている。
【００１３】
本体ケース１１は合成樹脂などの絶縁材料で箱形に形成されており、この本体ケース１１には、別の電源プラグの差込端子（図示せず）を本体ケース１１の内部に差し込むための端子挿入口１２，１３が形成されている。また、本体ケース１１は上ケース１１１と下ケース１１２とからなり、これらの上ケース１１１と下ケース１１２は、図示を省略したが、例えば本体ケース１１を図中上下方向に貫通するビスとこれに螺合するナットによって突合せ接合されている。なお、ビスとナットによって突合せ接合するほかにも、特に図示しないが、本体ケース１１の材料に熱可塑性材料を使用し、上ケース１１１と下ケース１１２を超音波溶着等の手段を用いて接合しても勿論かまわない。
【００１４】
差込端子１４，１５は図示しない電源コンセント（例えば商用ＡＣ１００Ｖの電源コンセント）に差し込まれるものであって、本体ケース１１の下ケース１１２から図中下方に突出している。
電源コード１６は、本体ケース１１の内部で差込端子１４，１５にカシメ接続されている。また、電源コード１６は中間口出し用として本体ケース１１の外部に引き出されている。
【００１５】
本体ケース１１の内部構造を図２及び図３に示す。図２に示されるように、本体ケース１１の内部には、差込端子１４，１５で受電した電源を端子挿入口１２，１３から本体ケース１１の内部に挿入された別の電源プラグ（図示せず）に給電する給電部１７が設けられているとともに、差込端子１４と電気的に接続された固定接点２０（図３参照）が設けられている。
【００１６】
給電部１７は端子挿入口１２，１３から本体ケース１１の内部に挿入された別の電源プラグの差込端子と電気的に接触する給電部端子１８，１９を有し、これらの給電部端子１８，１９のうち給電部端子１８はリベット２１により差込端子１５に接合されている。
また、給電部１７は本体ケース１１の内部温度によりスナップ動作するスナップアクションバイメタル２２を有し、給電部端子１９はリベット２３によりスナップアクションバイメタル２２に接合されている。
【００１７】
給電部１７は、また、可動接点２４、絶縁駒２５、圧縮コイルばね２６及び突き出し部２７を有し、スナップアクションバイメタル２２が図２及び図３に示す状態のときには、可動接点２４は固定接点２０と接触している
絶縁駒２５は固定接点２０と可動接点２４との絶縁状態を保持するものであって、絶縁材から形成されている。また、絶縁駒２５は本体ケース１１の内部にスライド可能に設けられ、図２及び図３に示す状態では圧縮コイルばね２６の弾性力により固定接点２０と可動接点２４との接触部に押圧されている。
【００１８】
突き出し部２７は圧縮コイルばね２６の弾性力により絶縁駒２５が固定接点２０と可動接点２４との間にスライドしたときに本体ケース１１の外部に突出するものであって、この突き出し部２７は絶縁駒２５に設けられている。
【００１９】
次に、上述した電源プラグ１０の作用について図４を参照して説明する。
給電部１７に発生したトラッキング現象等により本体ケース１１の内部温度が異常に上昇すると、スナップアクションバイメタル２２が図３に示す状態から図４に示す状態にスナップ動作する。そして、スナップアクションバイメタル２２が図３に示す状態から図４に示す状態にスナップ動作すると、固定接点２０に接触していた可動接点２４が固定接点２０から離間し、これにより、給電部１７への電源供給が遮断される。
【００２０】
給電部１７の可動接点２４が固定接点２０から離間すると、図４に示されるように、絶縁駒２５が圧縮コイルばね２６の弾性力により固定接点２０と可動接点２４との間にスライドし、これにより、固定接点２０と可動接点２４との絶縁状態が絶縁駒２５によって保持される。また、絶縁駒２５が固定接点２０と可動接点２４との間にスライドすると、図１に示されるように、絶縁駒２５に設けられた突き出し部２７が本体ケース１１の外部に突出する。そして、本体ケース１１の外部に突出した突き出し部２７を圧縮コイルばね２６の弾性力に抗して本体ケース１１の内部に押し戻すと、絶縁駒２５によって保持されていた固定接点２０と可動接点２４との離間状態が解除される。
【００２１】
上述のように、差込端子１４と電気的に接続された固定接点２０を本体ケース１１の内部に設けるとともに、本体ケース１１の内部温度によりスナップ動作するスナップアクションバイメタル２２と、スナップアクションバイメタル２２のスナップ動作により固定接点２０に対して接離する可動接点２４とを給電部１７に設けると、スナップアクションバイメタル２２のスナップ動作により可動接点２４が固定接点２０から離間する。これにより、給電部１７への電源供給が遮断されるため、トラッキング現象等に起因する異常発熱や発火が給電部に発生することを防止することができる。
【００２２】
また、上述のように、固定接点２０と可動接点２４との絶縁状態を保持する絶縁駒２５と、絶縁駒２５を固定接点２０と可動接点２４との接触部に押圧する圧縮コイルばね２６とを給電部１７に設けると、可動接点２４が固定接点２０から離間したときに絶縁駒２５が圧縮コイルばね２６の弾性力により固定接点２０と可動接点２４との間にスライドする。これにより、固定接点２０と可動接点２４との絶縁状態が絶縁駒２５によって保持されるため、トラッキング現象等に起因する異常発熱や発火が給電部１７に発生することを確実に防止することができる。
【００２３】
さらに、上述のように、絶縁駒２５が固定接点２０と可動接点２４との間にスライドしたときに本体ケース１１の外部に突き出る突き出し部２７を絶縁駒２５に設けると、本体ケース１１の外部に突き出た突き出し部２７を圧縮コイルばね２６の弾性力に抗して本体ケース１１の内部に押し戻すことにより絶縁駒２５によって保持されていた固定接点２０と可動接点２４との絶縁状態が解除されるため、受電した電源を給電部１７に再び供給することができる。
【００２４】
上述した本発明の一実施形態では、固定接点２０が差込端子１４と電気的に接続されたものを示したが、これに限られるものではなく、固定接点２０が差込端子１５と電気的に接続されていてもよい。
また、上述した本発明の一実施形態では、本体ケース１１の内部温度によりスナップ動作するスナップアクション部材としてスナップアクションバイメタル２２を、また、絶縁駒２５を固定接点２０と可動接点２４との接触部に押圧する弾性部材として圧縮コイルばね２６をそれぞれ例示したが、これらに限られるものではない。
【符号の説明】
【００２５】
１０…電源プラグ、１１…本体ケース、１２，１３…端子挿入口、１４，１５…差込端子，１６…電源コード、１７…給電部、１８，１９…給電部端子、２０…固定接点、２１…リベット、２２…スナップアクションバイメタル、２３…リベット、２４…可動接点、２５…絶縁駒、２６…圧縮コイルばね、２７…突き出し部。
【図１】
2010267531.tif 000003
【図２】
2010267531.tif 000004
【図３】
2010267531.tif 000005
【図４】
2010267531.tif 000006